(57)【要約】  【課題】  棒状描画材の繰り出し又は繰り戻し操作を片手で行うことができる軸体付き棒状描画材繰出容器を提供する。  【解決手段】  途中部分又は後端部分を片手の人差し指及び親指の付け根部で挟み付けるとともに先端部分を当該片手の中指の腹部で該付け根部側に向けて押し付ける握り方で握ることが可能な軸体１と、先筒２１及び先筒２１に対し軸線周りで回転可能に連結された操作筒２２を有し、先筒２１及び操作筒２２の相対回転によって内蔵する棒状描画材２０を繰り出すことが可能な棒状描画材繰出容器２とを備え、棒状描画材繰出容器２の先筒２１は、上記握り方で軸体１を握ることにより当該片手の人差し指又は親指で操作筒２２への回転操作を加えることが可能となるように、軸体１によって支持されている。【選択図】  図２
0003135133.tif 000002
【実用新案登録請求の範囲】
【請求項１】
途中部分又は後端部分を片手の人差し指及び親指の付け根部で挟み付けるとともに先端部分を当該片手の中指の腹部で前記付け根部側に向けて押し付ける握り方で握ることを可能とされた軸体と、
先筒及び該先筒に対し軸線周りで回転可能に連結された操作筒を有し、該先筒及び該操作筒の相対回転によって内蔵する棒状描画材を先筒を通じて繰り出すことを可能とされた棒状描画材繰出容器と、を備えた軸体付き棒状描画材繰出容器であって、
前記棒状描画材繰出容器の先筒は、
前記握り方で前記軸体を握ることにより当該片手の人差し指又は親指で前記操作筒への回転操作を加えることが可能となるように、前記軸体によって支持されていることを特徴とする、軸体付き棒状描画材繰出容器。
【請求項２】
前記軸体は、
当該片手の中指の先端腹部並びに当該片手の人差し指及び親指の付け根部の間に挟み付ける握り方で握るためのグリップを有していることを特徴とする、請求項１に記載の軸体付き棒状描画材繰出容器。
【考案の詳細な説明】
【技術分野】
【０００１】
本考案は、例えばまゆずみ等を棒状描画材とする化粧品やクレヨン等を棒状描画材とする筆記具などに用いられる軸体付き棒状描画材繰出容器に関する。
【背景技術】
【０００２】
従来の棒状描画材繰出容器としては、例えば、先筒と、先筒に対し軸線周りに相対回転可能に連結された操作筒と、先筒及び操作筒内を軸線方向に摺動可能とされた芯チャック部材とを備え、容器本体に対し装着されるカートリッジであって、先筒及び操作筒の相対回転によって芯チャック部材の先端に保持した棒状描画材を先筒の先端開口を通じて繰り出すことを可能としたものが開示されている（例えば、特許文献１参照）。
【特許文献１】特開２００１−２５２１３４号公報
【考案の開示】
【考案が解決しようとする課題】
【０００３】
ところで、上記のような従来の棒状描画材繰出容器においては、先筒及び操作筒を相対回転させることによって内蔵する棒状描画材に対し先筒の先端開口孔を通じての繰り出し又は繰り戻し操作を行うことが可能である。
【０００４】
ここで、先筒及び操作筒を相対回転させるには先筒及び操作筒と同期に回転する容器本体のそれぞれを摘むことを要するため、棒状描画材の繰り出し又は繰り戻し操作は、必ず両手で行うことが必要となり、不便である。
【０００５】
そこで、本考案の課題は、従来型の容器の不便が十分に解消されるように、棒状描画材の繰り出し又は繰り戻し操作を片手で行うことができる軸体付き棒状描画材繰出容器を提供することにある。
【課題を解決するための手段】
【０００６】
上記課題を解決するため、本考案に係る軸体付き棒状描画材繰出容器は、途中部分又は後端部分を片手の人差し指及び親指の付け根部で挟み付けるとともに先端部分を当該片手の中指の腹部で該付け根部側に向けて押し付ける握り方で握ることを可能とされた軸体と、先筒及び先筒に対し軸線周りで回転可能に連結された操作筒を有し、先筒及び操作筒の相対回転によって内蔵する棒状描画材を先筒を通じて繰り出すことを可能とされた棒状描画材繰出容器と、を備えた軸体付き棒状描画材繰出容器であって、棒状描画材繰出容器の先筒は、上記握り方で軸体を握ることにより当該片手の人差し指又は親指で操作筒への回転操作を加えることが可能となるように、軸体によって支持されていることを特徴としている。
【０００７】
このような軸体付き棒状描画材繰出容器によれば、棒状描画材繰出容器に加えて、使用者が片手の中指並びに当該片手の人差し指及び親指の付け根部で先筒を保持すると同時に当該片手の人差し指又は親指で操作筒への回転操作を加えることを可能とする軸体を備えたので、棒状描画材の繰り出し又は繰り戻し操作を片手で行うことが可能となり、従来型の容器の不便を十分に解消することが可能となる。
【０００８】
このような技術的手段において、操作筒への回転操作を加えるべき指の動きに支障を来す事態を有効に回避するようにして、片手で行う棒状描画材の繰り出し又は繰り戻し操作に関しての容易化及び円滑化を図るという観点からすれば、軸体は、当該片手の中指の先端腹部並びに当該片手の人差し指及び親指の付け根部の間に挟み付ける握り方で握るためのグリップを有していることが好ましい。
【考案の効果】
【０００９】
本考案に係る軸体付き棒状描画材繰出容器によれば、棒状描画材の繰り出し又は繰り戻し操作を片手で行うことができることとなり、従来型の容器の不便を十分に解消できることとなる。
【考案を実施するための最良の形態】
【００１０】
以下、添付図面に基づいて本考案の実施の形態を詳細に説明する。
【００１１】
◎実施の形態１
図１は本考案のこの実施の形態１の形態に係る軸体付き棒状描画材繰出容器の使用状態を示す斜視図、図２は同軸体付き棒状描画材繰出容器の全体構成を示す側面図、図３は同軸体付き棒状描画材繰出容器の全体構成を示す縦断面図、図４は同軸体付き棒状描画材繰出容器の部分構成を示す縦断面図、図５は図２のＡ−Ａ断面図である。
【００１２】
この実施の形態１において、軸体付き棒状描画材繰出容器は、例えば化粧品としてのアイブローペンシルに用いられるものとして構成されている。
【００１３】
そして、この軸体付き棒状描画材繰出容器は、図１〜図４に示すように、軸体１と、棒状化粧料繰出容器２と、支持部３と、を備えたものとして構成されている。
【００１４】
以下、これらの各構成要素についてさらに詳細に説明する。
【００１５】
（１）軸体
軸体１は、図１に示すように、使用者が途中部分を片手の人差し指及び親指の付け根部で挟み付けるとともに先端部分を当該片手の中指の腹部で付け根部側に向けて押し付ける握り方で軸体１を握ることを可能とされたものとして構成されている。
【００１６】
このように、軸体１に使用者が途中部分を片手の人差し指及び親指の付け根部で挟み付けることを可能とされたものであることを要求するのは、使用者が途中部分を片手の付け根部で挟み付けるとともに先端部分を当該片手の中指の腹部で付け根部側に押し付ける握り方で軸体１を握ることにより、当該片手の人差し指又は親指で操作筒２２への回転操作を加えることが可能となる軸体付き棒状描画材繰出容器とするためである。したがって、このような機能を発揮するものであれば、本考案においては、使用者が途中部分を片手の人差し指及び親指の付け根部で挟み付けることを可能とされた軸体１の代わりに、後端部分を片手の付け根部で挟み付けることを可能とされた比較的短尺の軸体を用いることが可能である。
【００１７】
そして、軸体１は、図１〜図４に示すように、後述する支持部３を介して棒状化粧料繰出容器２の先筒２１の後側部分を下側から支持するものとして構成されている。
【００１８】
このように、軸体１に先筒２１の後側部分を下側から支持するものであることを要求するのは、使用者が途中部分を片手の付け根部で挟み付けるとともに先端部分を当該片手の中指の腹部で付け根部側に押し付ける握り方で軸体１を握ることにより、当該片手の人差し指又は親指で操作筒２２への回転操作を加えることが可能な軸体付き棒状描画材繰出容器とするためである。したがって、このような機能を発揮するものであれば、本考案において先筒２１の後側部分を下側から支持する軸体１の代わりに、先筒２１の前側部分を下側から支持する軸体、先筒２１の後側部分を上側から支持する軸体その他の先筒２１を支持する軸体を用いても差し支えない。
【００１９】
また、軸体１は、図１〜図４に示すように、その先端部において後述する支持部３を介して棒状化粧料繰出容器２の先筒２１を支持するものとして構成されている。
【００２０】
このように、軸体１にその先端部において先筒２１を支持するものであることを要求するのは、使用者が途中部分を片手の付け根部で挟み付けるとともに先端部分を当該片手の中指の腹部で付け根部側に押し付ける握り方で軸体１を握ることにより、当該片手の人差し指又は親指で操作筒２２への回転操作を加えることが可能な軸体付き棒状描画材繰出容器とするためである。したがって、このような役割を果たすものであれば、本考案において、先端部において先筒２１を支持する軸体１の代わりに、後端部において先筒２１を支持する軸体、途中部分において先筒２１を支持する軸体その他の先筒２１を支持する軸体を用いることが可能である。
【００２１】
具体的には、棒状化粧料繰出容器２の先筒２１は、図２に示すように、その軸線が軸体１の軸線に対し僅かに傾いた方向となるように、軸体１によって支持されている。つまり、棒状化粧料繰出容器２の軸線が、先筒２１の先端開口孔２１ａ付近において軸体１の軸線と交わっており、かつ、棒状化粧料繰出容器２の操作筒部５２が、軸体１のうち先端部から僅か後側に係る部位に対し僅か上側に係る部位に位置している。
【００２２】
ところで、この実施の形態１に係る軸体１にあっては、その軸線が直線上に延びており、その後端部に向かうに伴い緩やかに細くなる棒状に形成されている。
【００２３】
また、このような軸体１は、その途中部分が、片手の人差し指及び親指の付け根部で挟み付けることが可能な外径寸法及び形状に設定されており、かつ、その先端部が、当該片手の中指の腹部で上記した付け根部側に向けて押し付けることが可能な材質及び形状に設定されている。
【００２４】
（２）棒状化粧料繰出容器
棒状化粧料繰出容器２は、図１〜図４に示すように、その先筒２１が、後側部分を下側から軸体１によって支持されたものとして構成されている。
【００２５】
このように、棒状化粧料繰出容器２に後側部分を下側から軸体１によって支持された先筒２１を有するものであることを要求するのは、使用者が途中部分を片手の付け根部で挟み付けるとともに先端部分を当該片手の中指の腹部で付け根部側に押し付ける握り方で軸体１を握ることにより、当該片手の人差し指又は親指で操作筒２２への回転操作を加えることが可能となる軸体付き棒状描画材繰出容器とするためである。したがって、このような役割を果たすものであれば、本考案においては、後側部分を下側から軸体１によって支持された先筒２１の代わりに、前側部分を下側から軸体１によって支持された先筒、後側部分を上側から軸体１によって支持された先筒その他の軸体１によって支持された先筒を用いることが可能である。
【００２６】
このような棒状化粧料繰出容器２において、先筒２１に関して操作筒２２に対し回転操作が加えられることにより内蔵する棒状化粧料２０を先筒２１を通じて繰り出す機能を発揮することは、前提条件である。
【００２７】
すなわち、棒状化粧料繰出容器２は、図３及び図４に示すように、先端開口孔２１ａを有する先筒２１と、先筒２１の後端側に対し軸線周りで回転可能及び軸線方向に移動不能に連結された操作筒２２と、先筒２１及び操作筒２２内に収容された芯チャック部材２３と、を備えたものとして構成されている。
【００２８】
ここで、先筒２１は、図４に示すように、前側部分において軸線方向に延びるように設けられ、先端開口孔２１ａから中間段差部２１ｂに亘る比較的小さい内径寸法に形成され、棒状化粧料２０を進退させる進退孔２１ｃと、後側部分において軸線方向に延びるように設けられ、中間段差部２１ｂから後端開口部２１ｄに亘る比較的大きい内径寸法に形成され、後述するメネジ筒部５１を収容する収容孔２１ｅと、進退孔２１ｃにおいて軸線方向に延びるように設けられ、芯チャック部材２３を軸線周りで回転不能及び軸線方向に摺動可能に保持するための摺動溝２１ｆと、メネジ筒部５１に対し軸線周りで回転可能及び軸線方向に移動不能に係合するための係合部２１ｇを有している。
【００２９】
また、操作筒２２は、同図に示すように、先筒２１の収容孔２１ｅ内に軸線周りで回転可能及び軸線方向に移動不能に収容され、内周部にメネジ５１ａが形成されたメネジ筒部５１と、先筒２１の後端から後側に露出するようにして先筒２１の後端側に対し軸線周りで回転可能及び軸線方向に移動不能に連結され、メネジ筒部５１に対し軸線周りで同期回転可能に係合する操作筒部５２と、を有している。
【００３０】
さらに、芯チャック部材２３は、同図に示すように、先端に設けられ、棒状化粧料２０を保持するための芯チャック部６１と、芯チャック部６１から後側に向かって延設され、外周部にオネジ６２ａが形成されたオネジ棒部６２と、芯チャック部６１から外側に突出して設けられ、摺動溝２１ｆに対し軸線周りで回転不能及び軸線方向に摺動可能に係合するための回り止め部６３と、を有している。
【００３１】
すなわち、この実施の形態１における棒状化粧料繰出容器２によれば、芯チャック部材２３が、回り止め部６３及び摺動溝２１ｆを介して先筒２１に対し軸線周りで同期回転可能及び軸線方向に摺動可能に係合しており、オネジ６２ａ及びメネジ５１ａを介して操作筒部５２と同期に回転するメネジ筒部５１に対し螺合しているため、先筒２１に関して操作筒２２への回転操作が加えられることにより、芯チャック部材２３を先筒２１の進退孔２１ｃ内において軸線周りでの回転を拘束しながら軸線方向に摺動させることが可能となっており、これにより、芯チャック部６１に保持した棒状化粧料２０を先筒２１の先端開口孔２１ａを通じて繰り出し、又は、繰り戻すことが可能となっている。
【００３２】
ところで、この実施の形態１に係る操作筒２２にあっては、操作筒部５２の外周部が、途中部分を片手の人差し指及び親指の付け根部で挟み付けるとともに先端部分を当該片手の中指の腹部で付け根部側に向けて押し付ける握り方で軸体１を握ることにより当該片手の人差し指又は親指で操作筒２２への回転操作を加えるのに最適な形状に設定されている。
【００３３】
具体的には、操作筒部５２には、その外周部から外側に突出し、かつ、軸線方向に延びる突条５２ａが周方向に沿って複数設けられている。
【００３４】
（３）支持部
支持部３は、軸体１の先端部から棒状化粧料繰出容器２側に突出して棒状化粧料繰出容器２の先筒２１を支持するものとして構成されている。
【００３５】
このように、支持部３に軸体１の先端部から上側に突出して先筒２１を支持するものであることを要求するのは、使用者が軸体１の途中部分を片手の付け根部で挟み付けるとともに当該軸体１の先端部分を当該片手の中指の腹部で上記した付け根部側に押し付ける握り方で軸体１を握ることにより、当該片手の人差し指又は親指で操作筒２２への回転操作を加えることが可能となる軸体付き棒状描画材繰出容器とするためである。したがって、このような役割を果たすものであれば、本考案においては、軸体１の先端部から棒状化粧料繰出容器２側に突出して先筒２１を支持する支持部３の代わりに、軸体１の後端部から棒状化粧料繰出容器２側に突出して先筒２１を支持する支持部、軸体１から棒状化粧料繰出容器２側に突出しない軸体１の部分としての支持部その他の支持部を用いてもよい。
【００３６】
上記したように、この実施の形態１における軸体付き棒状描画材繰出容器によれば、棒状化粧料繰出容器２に加えて、使用者が片手の中指並びに当該片手の人差し指及び親指の付け根部で握ることで棒状化粧料繰出容器２の先筒２１を間接的に保持すると同時に当該片手の人差し指又は親指で操作筒２２への回転操作を加えることを可能とする軸体１を備えたものとして構成されているので、棒状化粧料２０の繰り出し又は繰り戻し操作を片手で行うことが可能となっており、従来型の容器の不便を十分に解消することが可能となっている。
【００３７】
◎実施の形態２
図６は、本考案の実施の形態２に係る軸体付き棒状描画材繰出容器の全体構成を示す縦断面図である。なお、実施の形態１と同様な構成要素については実施の形態１と同様な符号を付してここではその詳細な説明を省略する。
【００３８】
この実施の形態２に係る軸体付き棒状描画材繰出容器の基本構成は、同図に示すように、実施の形態１と同様であるが、実施の形態１と異なり、軸体１の途中部分から下側に突出して設けられた凸状のグリップ１１を有している。
【００３９】
同図に示すように、軸体１に途中部分から下側に突出するグリップ１１を有するものであることを要求するのは、実施の形態１の握り方に代えて、片手の中指の先端腹部並びに当該片手の人差し指及び親指の付け根部の間に挟み付ける握り方を採用することにより、操作筒２２への回転操作を加えるべき指の動きの自由度を可及的に確保することが可能な軸体付き棒状描画材繰出容器とするためである。したがって、このような機能を発揮するものであれば、本考案においては、途中部分から下側に突出するグリップ１１を有する軸体１の代わりに、後端部分から下側に突出するグリップを有.する軸体その他のグリップを有する軸体を用いることが可能である。
【００４０】
したがって、このような実施の形態２に係る軸体付き棒状描画材繰出容器によれば、操作筒２２への回転操作を加えるべき指の動きに支障を来す事態を有効に回避することが可能となっており、これにより、片手で行う棒状化粧料２０の繰り出し又は繰り戻し操作に関しての容易化及び円滑化を図ることが可能となっている。
【００４１】
以上、これらの実施の形態においては、化粧品としてのアイブローペンシルについて説明したが、本考案は、このような実施の形態に限られるものではない。例えば化粧品としてのアイライナーペンシル、リップライナーペンシル、コンシーラーペンシル等に適用してもよいし、棒状口紅、リップクリーム、アイシャドウ等に適用してもよい。また、化粧品に限定されず、クレヨンや色鉛筆の芯等の筆記具その他の物品に広く適用可能である。
【図面の簡単な説明】
【００４２】
【図１】本考案の実施の形態１に係る軸体付き棒状描画材繰出容器の使用状態を示す斜視図である。
【図２】同軸体付き棒状描画材繰出容器の全体構成を示す側面図である。
【図３】同軸体付き棒状描画材繰出容器の全体構成を示す縦断面図である。
【図４】同軸体付き棒状描画材繰出容器の部分構成を示す縦断面図である。
【図５】図２のＡ−Ａ断面図である。
【図６】本考案の実施の形態２に係る軸体付き棒状描画材繰出容器の使用状態を示す斜視図である。
【符号の説明】
【００４３】
１ 軸体
２ 棒状化粧料繰出容器
３ 支持部
１１ グリップ
２０ 棒状化粧料
２１ 先筒
２１ａ 先端開口孔
２１ｂ 中間段差部
２１ｃ 進退孔
２１ｄ 後端開口部
２１ｅ 収容孔
２１ｆ 摺動溝
２１ｇ 係合部
２２ 操作筒
２３ 芯チャック部材
５１ メネジ筒部
５１ａ メネジ
５２ 操作筒部
５２ａ 突条
６１ 芯チャック部
６２ オネジ棒部
６２ａ オネジ
６３ 回り止め部
【図１】
0003135133.tif 000003
【図２】
0003135133.tif 000004
【図３】
0003135133.tif 000005
【図４】
0003135133.tif 000006
【図５】
0003135133.tif 000007
【図６】
0003135133.tif 000008